(57)【要約】【課題】コンサルタントが、土木資材の本設計を容易に得ることができるシステムを提供すること。【解決手段】土木資材の概略設計を行える設計支援ソフトを有し、インターネットに接続される概略設計用コンピュータ２と、概略設計のデータを基にして土木資材の本設計を行えるＣＡＤソフト１１を有し、インターネットに接続される本設計用コンピュータシステム１とを備え、設計支援ソフトは、設計支援ソフトの基に作成された土木資材の概略設計のデータをインターネット３を介して本設計用コンピュータシステム１に向けて自動的に送信し、本設計用コンピュータシステム１は、概略設計のデータをインターネット３を介して受信し、概略設計のデータを基にしてＣＡＤソフトにより本設計のデータを作成する、土木資材の設計支援システム。【選択図】        図２
2005157573.tif 000002
【特許請求の範囲】
【請求項１】
土木資材の概略設計を行える設計支援ソフトを有し、インターネットに接続される概略設計用コンピュータと、
概略設計のデータを基にして土木資材の本設計を行えるＣＡＤ及び／又は構造計算ソフトを有し、インターネットに接続される本設計用コンピュータシステムとを備え、
設計支援ソフトは、設計支援ソフトの基に作成された土木資材の概略設計のデータをインターネットを介して本設計用コンピュータシステムに向けて自動的に送信し、
本設計用コンピュータシステムは、概略設計のデータをインターネットを介して受信し、概略設計のデータを基にしてＣＡＤ及び／又は構造計算ソフトにより本設計のデータを作成することを特徴とする、土木資材の設計支援システム。
【請求項２】
請求項１に記載の土木資材の設計支援システムにおいて、
設計支援ソフトは、設計支援ソフトにより作成された概略設計のデータを出力する際、インターネットを介して概略設計のデータを本設計用コンピュータシステムに向けて自動的に送信することを特徴とする、土木資材の設計支援システム。
【請求項３】
請求項１に記載の土木資材の設計支援システムにおいて、
設計支援ソフトは、設計支援ソフトを概略設計用コンピュータにインストールすると、概略設計用コンピュータの固有の情報をインターネットを介して本設計用コンピュータシステムに向けて送信し、本設計用コンピュータシステムは概略設計用コンピュータの固有の情報を基に概略設計用コンピュータを識別することを特徴とする、土木資材の設計支援システム。
【請求項４】
請求項１に記載の土木資材の設計支援システムにおいて、
本設計用コンピュータシステムは、インターネットを介して概略設計用コンピュータに設計支援ソフトを提供することを特徴とする、土木資材の設計支援システム。
【請求項５】
土木資材の設計支援ソフトで作成された概略設計のデータから土木資材の本設計を行えるＣＡＤ及び／又は構造計算ソフトを有し、インターネットに接続された本設計用コンピュータシステムを備え、
本設計用コンピュータシステムは、概略設計用コンピュータにインストールされた設計支援ソフトで作成された概略設計のデータをインターネットを介して受信し、概略設計図のデータを基にしてＣＡＤ及び／又は構造計算ソフトにより本設計を行うことを特徴とする、土木資材の設計支援システム。
【発明の詳細な説明】
【技術分野】
【０００１】
本発明は、マンホールや各種の建設資材、建築資材などの土木資材を設計する設計支援システムに関するものである。
【背景技術】
【０００２】
従来、土木資材のマンホールの設計は、全国の多数のコンサルタントが行っている。マンホールは、道路などの設置すべき場所ごとに、マンホールの形状、流入管や流出管の位置など個々に異なるため、マンホールの設計は、個別に行い、ＣＡＤレベルの本設計図を作成し、依頼者に提出する必要がある。
そのためには、コンサルタントは、本設計図の作成までできる設計業者に依頼し、コンサルタントと設計業者が相互に連絡を取りながら複数回データを交換し、最終的な本設計図の作成を行っている。そのために、コンサルタントも設計業者も多大な労力と時間を要している。
【発明の開示】
【発明が解決しようとする課題】
【０００３】
＜１＞本発明は、コンサルタントが、土木資材の本設計を容易に作成できるシステムを提供することにある。
＜２＞本発明は、また、設計業者は、コンサルタントの希望する設計を容易に作成できるシステムを提供することにある。
【課題を解決するための手段】
【０００４】
＜１＞本発明は、土木資材の概略設計を行える設計支援ソフトを有し、インターネットに接続される概略設計用コンピュータと、概略設計のデータを基にして土木資材の本設計を行えるＣＡＤ及び／又は構造計算ソフトを有し、インターネットに接続される本設計用コンピュータシステムとを備え、設計支援ソフトは、設計支援ソフトの基に作成された土木資材の概略設計のデータをインターネットを介して本設計用コンピュータシステムに向けて自動的に送信し、本設計用コンピュータシステムは、概略設計のデータをインターネットを介して受信し、概略設計のデータを基にしてＣＡＤ及び／又は構造計算ソフトにより本設計のデータを作成することを特徴とする、土木資材の設計支援システムにある。
＜２＞本発明は、また、土木資材の設計支援ソフトで作成された概略設計のデータから土木資材の本設計を行えるＣＡＤ及び／又は構造計算ソフトを有し、インターネットに接続された本設計用コンピュータシステムを備え、本設計用コンピュータシステムは、概略設計用コンピュータにインストールされた設計支援ソフトで作成された概略設計のデータをインターネットを介して受信し、概略設計図のデータを基にしてＣＡＤ及び／又は構造計算ソフトにより本設計を行う、土木資材の設計支援システムにある。
【発明を実施するための最良の形態】
【０００５】
＜１＞土木資材の設計支援システム
土木資材の設計支援システムは、マンホールなどの土木資材の設計を支援するものであり、土木資材の本設計を行うＣＡＤソフトを有する本設計用コンピュータシステムを備えている。本設計用コンピュータシステム１は、図１に示すように、土木資材の概略設計を行う概略設計用コンピュータ２とインターネット３で接続されている。本設計用コンピュータシステム１は、概略設計のデータをインターネット３を介して受信して、そのデータから本設計を行うことができる。概略設計用コンピュータ２は、土木資材のコンサルタントのユーザによって使用され、インターネット３を介して本設計用コンピュータシステム１に接続される。本設計用コンピュータシステム１は、ＣＡＤソフト１１により土木資材の本設計を行う設計者によって利用される。なお、本設計用コンピュータシステム１において、ＣＡＤソフト１１を使用した例で説明しているが、ＣＡＤソフト１１の代わりに構造計算ソフトを用いてもよく、又は、ＣＡＤソフトと構造計算ソフトを共に用いても良い。
【０００６】
土木資材の設計支援システムは、全国の土木資材のコンサルタントが自己のコンピュータで概略設計を容易にできるシステムを提供することにある。その代わり、本設計用コンピュータシステム１は、概略設計用コンピュータ２の許可により、概略設計用コンピュータ２で作成した概略設計のデータをインターネット３を介して自動的に受け取ることができる。これにより、本設計用コンピュータシステム１は、各コンサルタントが行っている設計内容を把握することができる。また、本設計用コンピュータシステム１は、コンサルタントから本設計のＣＡＤデータ及び／又は構造計算データの作成依頼があると、ＣＡＤソフト及び／又は構造計算ソフトにより、概略設計のデータから本設計のＣＡＤデータ及び／又は構造計算データを作成し、コンサルタントに提供することができる。
【０００７】
＜２＞概略設計用コンピュータ
概略設計用コンピュータ２は、土木資材の概略設計を行う設計支援ソフトをコンピュータにインストールすることにより得られる。設計支援ソフトをコンピュータにインストールすると、設計支援ソフトは、このコンピュータと接続された機器の固有情報を読み取り、本設計用コンピュータシステム１に向けて送信する。また、設計支援ソフトで土木資材の概略設計を行い、この概略設計のデータを印刷装置などに出力する場合、概略設計用コンピュータ２の許可により、この概略設計データは、本設計用コンピュータシステム１に自動的に送信される。
【０００８】
＜３＞本設計用コンピュータシステム
本設計用コンピュータシステム１は、ＣＡＤソフト１１を備えており、設計支援ソフトで作成された土木資材の概略設計のデータから本設計のデータを作成する。本設計用コンピュータシステム１は、メールサーバ１２やウエブサーバ１３の機能を有していても、又は、プロバイダのメールサーバやウエブサーバを使用してもよい。メールサーバ１２によって、本設計用コンピュータシステム１と概略設計用コンピュータ２との間でデータを交換する。また、ウエブサーバ１３により、概略設計用コンピュータ２は、設計支援ソフトを本設計用コンピュータシステム１からダウンロードすることができる。
【０００９】
＜４＞設計支援ソフトのインストール
概略設計用コンピュータ２は、本設計用コンピュータシステムのウエブサーバ１３から設計支援ソフトをダウンロードし、又は、設計支援ソフトが書き込まれたＣＤからインストールする。インストールの際、設計支援ソフトは、概略設計用コンピュータ２に接続された機器のＭＡＣアドレスなどの固有の情報を読み取り、概略設計用コンピュータ２の許可を得て、本設計用コンピュータシステム１に向けて送信する。このように、設計支援ソフトをインストールすることにより、本設計用コンピュータシステム１は、設計支援ソフトを使用する概略設計用コンピュータ２を識別することができる。
【００１０】
＜５＞概略設計用コンピュータによるユーザ登録
設計支援ソフトを使用できるためには、ユーザ登録をする必要がある。ユーザは、図２に示される流れ図のように、概略設計用コンピュータ２を用いてユーザ情報の登録を行う。まず、設計支援ソフトを起動する（Ｓ１１）と、オープニングメニューが表示される（Ｓ１２）。画面上の承認ボタンをクリックすると、新規登録のメニューが表示され、空欄に氏名、会社名、住所、メールアドレスなどユーザ情報を記入する（Ｓ１３）。ユーザ情報などの登録情報は、メールにより本設計用コンピュータシステム１に送信し（Ｓ１４）、設計支援ソフトは終了する（Ｓ１５）。
【００１１】
本設計用コンピュータシステム１は、登録情報を受信し（Ｓ２１）、登録を行う（Ｓ２２）。本設計用コンピュータシステム１は、送信してきた概略設計用コンピュータ２に対して、ユーザＩＤ、パスワードを発行し（Ｓ２３）、メールサーバに送信する（Ｓ２４）。概略設計用コンピュータ２はメールの仕組みを利用して、ユーザＩＤ、パスワードのデータを受信する（Ｓ１６）。これらのステップにより、ユーザ情報の登録が完了する。
【００１２】
＜６＞概略設計用コンピュータによるユーザＩＤ、パスワードの登録
概略設計用コンピュータ２は、設計支援ソフトを起動する（Ｓ３１）と、オープニングメニューが表示される（Ｓ３２）。オープニングメニューで概略設計などのデータを本設計用コンピュータシステム１に転送してよいか、承認を求める。承認すると、総合メニューが表示され（Ｓ３３）、総合メニューの一部において、ユーザ登録のメニューが表示される。そこで、ユーザＩＤ、パスワードを入力する（Ｓ３４）と、ユーザ認証を行うために、認証情報が本設計用コンピュータシステム１に送信される（Ｓ３５）。
【００１３】
本設計用コンピュータシステム１は、認証情報を受信し（Ｓ４１）、認証情報を確認し（Ｓ４２）、認証の結果をそのユーザの概略設計用コンピュータに送信する（Ｓ４３）。概略設計用コンピュータは認証結果を受信する（Ｓ３６）。
【００１４】
＜７＞概略設計用コンピュータによるデータ入力
概略設計用コンピュータの設計支援ソフトを起動して、データ入力を行う場合、総合メニューの中の新規作成ボタンを押すと、図４に示すような入力画面が表示される。図３のマンホールの路線図に記載された事項を見ながら、入力画面上でマンホールの設計に必要な情報を入力する。メニューの項目は、例えば、形状データ、流出入管データ、部材選択画面、開口部詳細画面などがある。入力したデータは、組み合わせて登録する。登録されたデータは、新たな入力データと共に更新される。このようにして、図５に示すようなマンのホールの概略設計図（この図は、印刷プレビュー画面を示している）が作成される。
【００１５】
＜８＞印刷などの出力
概略設計のデータの印刷のタブをクリックすると、印刷データの転送のメニューが表示される。印刷データは、メールで転送される。転送先は、本設計用コンピュータシステム１のメールサーバ１３に転送されるとともに、印刷装置で、概略設計図が印刷される。
【００１６】
＜９＞本設計用コンピュータシステムへの本設計の依頼
本設計用コンピュータシステム１は、概略設計用コンピュータ２から本設計の依頼を受け、設計支援ソフトで作成した概略設計のデータを受信する。本設計用コンピュータシステムのＣＡＤソフト又は構造計算ソフトは、概略設計のデータを基にして、本設計を行う。図６にＣＡＤにより作成された本設計の一部の図面を示す。図６の破線の個所に数値や名称が記載されている。この本設計のデータは、依頼したコンサルタントに提出される。
【図面の簡単な説明】
【００１７】
【図１】土木資材の設計支援システムの説明図
【図２】概略設計用コンピュータと本設計用コンピュータシステムの相互の流れ図
【図３】設計すべきマンホールの路線図
【図４】マンホール設計の新規データ入力画面図
【図５】マンホールの概略設計の印刷プレビューの画面図
【図６】マンホールの本設計の一部の側面図
【符号の説明】
【００１８】
１・・・本設計用コンピュータシステム
１１・・ＣＡＤ
１２・・メールサーバ
１３・・ウエブサーバ
２・・・概略設計用コンピュータ
３・・・インターネット
【図１】
2005157573.tif 000003
【図２】
2005157573.tif 000004
【図３】
2005157573.tif 000005
【図４】
2005157573.tif 000006
【図５】
2005157573.tif 000007
【図６】
2005157573.tif 000008